(57)【特許請求の範囲】
【請求項１】
ＩＣパッケージを装着したソケット本体に対して回転ラッチ機構を用いて蓋部材をラッチするＩＣソケットにおいて、
前記回転ラッチ機構は、
つまみと、
このつまみが上端部に取付けられこの蓋部材の中央部分に設けられた軸受け部に軸受押えを介して回転可能に支持された軸と、
前記蓋部材の中央の軸受け部に上下方向に滑動可能に設けられたカムと、
この軸受け部を押圧するように前記蓋部材に揺動可能に支持された一対のラッチレバーと、
このラッチレバーを弾性附勢するばねと，
前記軸受け部の下部に取り付けられた押圧体と、
を備え、
前記つまみを回転操作して前記カム及び前記一対のラッチレバーを介して前記押圧体の上下動を行うことで蓋部材をラッチすることを特徴とするＩＣソケット。
【請求項２】
前記回転ラッチ機構は、前記ソケット本体にヒンジ連結された前記蓋部材に、前記つまみが取付けられる軸を有し、該軸に対して前記カムが設けられ、一対のラッチレバーが作動されることを特徴とする請求項１記載のＩＣソケット。
【請求項３】
前記回転ラッチ機構は、前記つまみの回転操作を抑制するために前記カムを用いて前記一対のラッチレバーの固定と操作とを行うことを特徴とする請求項２記載のＩＣソケット。
【請求項４】
前記回転ラッチ機構は、前記軸が前記蓋部材の中央部分に設けられた軸受け部に回転可能に支持され、前記一対のラッチレバーを弾性附勢するばねを有することを特徴とする請求項３記載のＩＣソケット。
【請求項５】
前記軸は、前記ソケット本体に装着された前記ＩＣパッケージを押圧するための押圧体が設けられることを特徴とする請求項４記載のＩＣソケット。
【請求項６】
前記押圧体は、導電性ゴムのような導電性材料から作られることを特徴とする請求項５記載のＩＣソケット。
【請求項７】
前記回転ラッチ機構は、前記軸の一部を切欠くと共に、前記軸が止まる位置に止めねじが設けられたことを特徴とする請求項２記載のＩＣソケット。
【請求項８】
前記回転ラッチ機構の軸の切欠き量は、軸の外径に対してほぼ１：０．３〜０．５であることを特徴とする請求項７記載のＩＣソケット。
【請求項９】
前記ＩＣパッケージがボール・グリッド・タイプであることを特徴とする請求項１記載のＩＣソケット。
【発明の詳細な説明】
【０００１】
【発明の属する技術分野】
本発明は、回転ラッチ機構を有するＩＣソケットに関するもので、特に、ＩＣパッケージが装着されるソケット本体に蓋部材をラッチする回転ラッチ機構を有する蓋式のＩＣソケットに係わるものである。
【０００２】
【従来の技術】
従来、電気部品としてのＩＣパッケージ等が装着されるＩＣソケットにおいては、ソケット本体にＩＣパッケージが装着されて蓋部材がラッチされるＩＣソケットが知られている。
【０００３】
【発明が解決しようとする課題】
しかしながら、従来のこのようなＩＣソケットにおいては、電気機器の小型化に伴ないＩＣパッケージも小型化、高密度化が要求されている。しかし、人の手でＩＣパッケージを装着したり、取出しする際に、ラッチ機構の固定と開放を行うように両手を用いて操作を行わなければならず厄介である。
【０００４】
従って、本発明の目的は、このような従来における問題を解決するために、カムを利用してラッチの固定と開放を、ハンドルとしてのつまみを片手で回転して操作することができる、回転ラッチ機構を有するＩＣソケットを提供することにある。
【０００５】
【課題を解決するための手段】
上述の目的を達成するために、本発明のＩＣソケットは、ＩＣパッケージを装着したソケット本体に対して回転ラッチ機構を用いて蓋部材をラッチするＩＣソケットにおいて、前記回転ラッチ機構は、つまみと、このつまみが上端部に取付けられこの蓋部材の中央部分に設けられた軸受け部に軸受押えを介して回転可能に支持された軸と、前記蓋部材の中央の軸受け部に上下方向に滑動可能に設けられたカムと、この軸受け部を押圧するように前記蓋部材に揺動可能に支持された一対のラッチレバーと、このラッチレバーを弾性附勢するばねと，前記軸受け部の下部に取り付けられた押圧体とを備え、前記つまみを回転操作して前記カム及び前記一対のラッチレバーを介して前記押圧体の上下動を行うことで蓋部材をラッチすることを特徴とする。
【０００６】
また、本発明のＩＣソケットは、前記回転ラッチ機構が、前記ソケット本体にヒンジ連結された前記蓋部材に、前記つまみが取付けられる軸を有し、該軸に対して前記カムが設けられ、一対のラッチレバーが作動されることを特徴とする。
【０００７】
さらに、本発明のＩＣソケットは、前記回転ラッチ機構が、前記つまみの回転操作を抑制するために前記カムを用いて前記一対のラッチレバーの固定と操作とを行うことを特徴とする。
【０００８】
さらにまた、本発明のＩＣソケットは、前記回転ラッチ機構が、前記軸が前記蓋部材の中央部分に設けられた軸受け部に回転可能に支持され、前記一対のラッチレバーを弾性附勢するばねを有することを特徴とする。
【０００９】
本発明のＩＣソケットは、前記軸が、前記ソケット本体に装着された前記ＩＣパッケージを押圧するための押圧体が設けられることを特徴とする。
【００１０】
また、本発明のＩＣソケットは、前記押圧体が、導電性ゴムのような導電性材料から作られることを特徴とする。
【００１１】
さらに、本発明のＩＣソケットは、前記回転ラッチ機構が前記軸の一部を切欠くと共に、前記軸が止まる位置に止めねじが設けられたことを特徴とする。
【００１２】
さらにまた、本発明のＩＣソケットは、前記回転ラッチ機構の軸の切欠き量が、軸の外径に対してほぼ１：０．３〜０．５であることを特徴とする。
【００１３】
本発明のＩＣソケットは、前記ＩＣパッケージがボール・グリッド・タイプであることを特徴とする。
【００１４】
本発明のその他の目的や特徴および利点は、添付図面に示される本発明のＩＣソケットの実施形態についての以下の詳細な説明から明らかである。
【００１５】
【発明の実施の形態】
（実施例）
図１は、本発明のＩＣソケットの一実施例を示す正面図で、図２は、図１のＩＣソケットの平面図、図３は回転ラッチ機構を解除して蓋部材を開いた時のＩＣソケットの縦断面図で、図４は、本発明のＩＣソケットにおいて回転ラッチ機構のラッチレバーを開放した状態での蓋部材と回転ラッチ機構の縦断面図で、図５は、図４の蓋部材と回転ラッチ機構の平面図、図６は本発明のＩＣソケットにおいて回転ラッチ機構のラッチレバーを操作した状態での縦断面図で、図７は、図６の蓋部材と回転ラッチ機構の平面図である。
【００１６】
図１、図２および図３に示されるように、本発明のＩＣソケット１は、ＩＣパッケージ１０を装着して電気的接続を形成するコンタクト７を有する蓋式のＩＣソケットであって、固定のソケット本体２と、ソケット本体２に開閉自在にヒンジ連結された蓋部材３と、蓋部材３をソケット本体２に対してラッチする回転ラッチ機構４とから主に構成されている。
【００１７】
図示されるように、本発明のＩＣソケット１において、ソケット本体２は、固定の本体部材５を有しており、中央部分にＩＣパッケージ載置部６が設けられていて、多数のコンタクト７が固設されており、コンタクト７がそれぞれ下方に延びている。これらコンタクト７は、上端部がＩＣパッケージ１０の外部端子とそれぞれ当接されて電気的に接続できるように形成されている。蓋部材３は、本体部材５の上に位置するように配置されており、一側部のヒンジ部１２においてヒンジピン１３によって本体部材５に対してヒンジ連結されていて、ソケット本体２のＩＣパッケージ載置部６に配置されたＩＣパッケージ１０を押圧するための押圧体８が設けられると共に、押圧体８の作動のラッチを固定するための回転ラッチ機構４が設けられており、さらに、他側部に、本体部材５の錠止受け１６と錠止係合するようにばね１７により押圧附勢され、かつ錠止爪１５を有する錠止アーム１４が設けられていて、蓋部材３を本体部材５に錠止できるようになっている。
【００１８】
また、回転ラッチ機構４は、操作ハンドルとしての十字形のつまみ１８の回転操作を抑制するためにカム２０を用いてラッチレバー２１の固定と操作とを行うもので、つまみ１８と、つまみ１８が上端部に取付けられ蓋部材３の中央部分に設けられた軸受け部９に軸受押え２３を介して回転可能に支持された軸１９と、蓋部材３の中央の軸受け部９に上下方向に滑動可能に設けられたカム２０と、軸受け部９を押圧するように蓋部材３に揺動可能に支持された一対のラッチレバー２１と、ラッチレバー２１を弾性附勢するばね２２とを有している。また、十字形のつまみ１８の対向する一対のアーム部１８ａには、カム従動子２６が設けられていて、カム２０のカム面に係合するように形成されている。さらに、軸受け部９の下部には押圧体８が取付けられており、つまみ１８の回転によりカム２０によってラッチレバー２１を介して軸１９と一体に軸受け部９と共に押圧体８が下方に移動されて、ソケット本体２に装着されたＩＣパッケージ１０がコンタクト７に対して押圧され、ＩＣパッケージ１０の外部端子がコンタクト７に接続されるように構成されている（図４、５）。
【００１９】
すなわち、図４および図５に示されるように、つまみ１８が操作されて図示の状態に位置されると、ラッチレバー２１が開放されてフリーの状態になって、ばね２２によってラッチレバー２１の外側端部が押し上げられて内側端部が押し下げられるので、軸受け部９を介して導電性ゴムの押圧体８が押し下げられてＩＣパッケージ１０に触れると、押圧体８が導電性ゴムで作られているので、ＩＣパッケージ１０の中央部に設けられている指紋センサー（図示しない）によってＩＣパッケージ１０が「ＯＮ」状態となって導通するようになる。
【００２０】
また、つまみ１８が操作されて図６および図７に示されるような状態に位置されると、カム従動子２６がカム２０のカム面上に位置されてカム２０がラッチレバー２１を押すように操作して、ラッチレバー２１の外側端部が押し下げられて内側端部が押し上げられるので、軸受け部９がフリーになって導電性ゴムの押圧体８がＩＣパッケージ１０から離れて、ＩＣパッケージ１０が「ＯＦＦ」状態となる。
【００２１】
さらにまた、つまみ１８が取付けられる軸１９には、切欠き２４が設けられており、この切欠き２４に対して軸１９と当接できるように止めねじ２５が取付けられていて、つまみ１８による軸１９の回転を抑制するように形成されている。すなわち、止めねじ２５は、軸１９の切欠き２４が図５に示される位置にある時には、切欠き２４内に止めねじ２５の先端部が位置するように設置されており、止めねじ２５の先端部の側面２５ｂが切欠き面２４ａに当接して、図示の位置から反時計方向への軸１９の回転を抑制している。
【００２２】
また、これに対してつまみ１８を時計方向に回転して、つまみ１８と共に軸１９が約９０度回転されて図７に示される位置に来た時に、止めねじ２５の先端面２５ａが軸１９の切欠き２４の切欠き面２４ａに当接して軸１９の回転を停止する位置に止めねじ２５が取付けられており、止めねじ２５がストッパーとして作用するものである。さらにまた、このような軸１９の切欠き２４において、切欠き量は、軸１９の外径に対してほぼ１：０．３〜０．５であるようにすると、製作の上でも、さらに強度的にも一層好適である。なお、切欠き量は、軸１９の外径や止めねじ２５のサイズ、切欠き２４に対する止めねじ２５の当接する位置等に対応して適切な比率に決めることができるものである。
【００２３】
このように本発明のＩＣソケット１は、ハンドルとしての十字形のつまみ１８をほぼ９０度回転操作してカム２０によってラッチの固定と開放を行うラッチレバー２１を有する回転ラッチ機構４を備えるので、カム２０を利用してラッチレバー２１を操作することによってラッチの固定と開放を、つまみ１８を片手で回転して簡単に、しかも確実に操作することができるし、つまみ１８の回転操作角度がほぼ９０度なので、繰返し操作による作業者の負担が比較的軽く、さらに、カム２０により荷重が移動距離に変換されるためにラッチ操作に対する作業者の手への負荷が小さくて済む。また、カム２０とカム従動子２６との接する箇所の角度としては、図示のような形状においては約２０度以下が、より好適である。
【００２４】
さらに、このように構成された本発明のＩＣソケット１においては、ＩＣソケット１へのＩＣパッケージ１０の挿入作業がロボット等の自動機や、手作業によって好適に行うことができ、本発明の回転ラッチ機構４によってラッチレバー２１の操作と開放を行うことができて、ＩＣパッケージ１０のＩＣソケット１への実装作業の効率を向上し、かつ改善することが出来る。
【００２５】
【発明の効果】
以上説明したように、本発明の請求項１記載のＩＣソケットは、ＩＣパッケージを装着したソケット本体に対して蓋部材をラッチするＩＣソケットにおいて、つまみを回転操作してカムによってラッチレバーの操作と開放を行う回転ラッチ機構を有するので、カムを利用してラッチレバーの操作と開放を、つまみを片手で回転して簡単に、かつ確実に行うことができる。
【００２６】
本発明の請求項２記載のＩＣソケットは、前記回転ラッチ機構が、前記ソケット本体にヒンジ連結された前記蓋部材に、前記つまみが取付けられる軸を有し、該軸に対して前記カムが設けられて、ラッチレバーが作動されるので、簡単な構成で、良好なラッチ作用を得ることができる。
【００２７】
本発明の請求項３記載のＩＣソケットは、前記回転ラッチ機構が、前記つまみの回転操作を抑制するために前記カムを用いて前記一対のラッチレバーの固定と操作とを行うので、つまみの回転操作によってラッチの固定と操作を良好に行うことができる。
【００２８】
本発明の請求項４記載のＩＣソケットは、前記回転ラッチ機構が、前記軸が前記蓋部材の中央部分に設けられた軸受け部に回転可能に支持され、前記一対のラッチレバーを弾性附勢するばねを有するので、軸の回転操作によってラッチレバーを好適に操作することができる。
【００２９】
本発明の請求項５記載のＩＣソケットは、前記軸が、前記ソケット本体に装着された前記ＩＣパッケージを押圧するための押圧体が設けられるので、軸の回転操作によって押圧体を介してＩＣパッケージを良好に押圧することができる。
【００３０】
本発明の請求項６記載のＩＣソケットは、前記押圧体が、導電性ゴムのような導電性材料から作られるので、ＩＣパッケージと良好に導通できる。
【００３１】
本発明の請求項７記載のＩＣソケットは、前記回転ラッチ機構が、前記軸の一部を切欠くと共に、前記軸が止まる位置に止めねじが設けられるので、簡単な機構のストッパーを設けることができる。
【００３２】
本発明の請求項８記載のＩＣソケットは、前記回転ラッチ機構の軸の切欠き量が、軸の外径に対してほぼ１：０．３〜０．５であるので、軸を停止位置に正確に停止することができる。
【００３３】
本発明の請求項９記載のＩＣソケットは、前記ＩＣパッケージがボール・グリッド・タイプであるので、ＩＣパッケージを良好に装着することができ、かつ簡単な構造にＩＣソケットを形成することができる。
【図面の簡単な説明】
【図１】本発明のＩＣソケットの一実施例を示す正面図である。
【図２】図１のＩＣソケットの平面図である。
【図３】図１の本発明のＩＣソケットの回転ラッチ機構を解除して蓋部材を開いた時のＩＣソケットの縦断面図である。
【図４】本発明のＩＣソケットにおいて回転ラッチ機構のラッチレバーを開放した状態での蓋部材と回転ラッチ機構の縦断面図である。
【図５】図４の蓋部材と回転ラッチ機構の平面図である。
【図６】本発明のＩＣソケットにおいて回転ラッチ機構のラッチレバーを操作した状態での縦断面図である。
【図７】図６の蓋部材と回転ラッチ機構の平面図である。
【符号の説明】
１      ＩＣソケット
２      ソケット本体
３      蓋部材
４      回転ラッチ機構
５      本体部材
６      ＩＣパッケージ載置部
７      コンタクト
８      押圧体
９      軸受け部
１０    ＩＣパッケージ
１２    ヒンジ部
１３    ヒンジピン
１４    錠止アーム
１５    錠止爪
１６    錠止受け
１７    ばね
１８    つまみ
１９    軸
２０    カム
２１    ラッチレバー
２２    ばね
２３    軸受押え
２４    切欠き
２５    止めねじ
２６    カム従動子
【図１】
0003745654.tif 000002
【図２】
0003745654.tif 000003
【図３】
0003745654.tif 000004
【図４】
0003745654.tif 000005
【図５】
0003745654.tif 000006
【図６】
0003745654.tif 000007
【図７】
0003745654.tif 000008